(57)【要約】【課題】    つば付帽子のつばを、利用者が好みに応じて湾曲をつくろうとするとき、手で曲げて、つばの曲がりをつけ、つばを固定し、仕立てする必要があった。この方法だと、つばを折ってしまったり、また曲がり具合が変形したり、左右均等のきれな湾曲にならないため、使用者の好みに合った湾曲のつば付帽子には、仕上がらないという問題があった。【解決手段】    つば付帽子のつばの両端を固定し、つば上部全体を、固定部を結ぶゴムバンドで押さえた後、固定部をスライドさせることにより、距離を広くしたり、狭くしたりして湾曲の大きさを調整するとき、両端からかかる力は左右均等構造を持っているため、均等な力をつばにかけることが可能となり、折れることなく、湾曲を大きくしたり小さくしたりすることができ、そして使用者の好みに合った湾曲にした後、固定端を固定し、その状態で、長時間維持することやスチームをつばにかけることができる器具を使用することで、つばに使用者の好みに合った湾曲の曲がりくせをつけることができる。【選択図】    図１
2006132068.tif 000002
【特許請求の範囲】
【請求項１】
本体固定部５には、つば付帽子のつばを固定する内部つば端固定溝１７とゴムバンド４８を固定するゴムバンドひっかけ部１と、移動部ガイドレール２６を有する。固定移動部３６には、内部つば端固定溝１５とスライド位置を固定する固定棒２３有する。つばの上部をゴムバンド４８で固定した状態で、移動部ガイドレール２６上を本体移動部３６が横方向にスライドでき固定できる特徴を持つ、つば湾曲固定化装置。
【請求項２】
前記の装置で、野球帽のような平坦なつばをもつつば付帽子を、凸に曲げるために、つばの両端固定部の上方に平坦つば押さえ突起５２と平坦つば押さえ突起２１と、つばの内側下部に平坦つば支持部１０と平坦つば支持部１３と、つばの上部固定部に伸縮ゴムバンド４８を持つ、請求事項１記載のつば湾曲固定化装置。
【発明の詳細な説明】
【技術分野】  Ａ４２Ｃ１／０６【０００１】  本発明は、つば付帽子のつばの形状を細工する器具に関する。
【背景技術】
【０００２】  従来、つば付帽子のつばを任意に曲げる器具はなかった。従来ある器具としては、手によってつばを湾曲させた後に型にはめて固定し、輸送や型くずれを防ぐために作られた器具がある。
【特許文献１】ＵＳ．５，５３３，６５２
【特許文献２】ＵＳ．５，９０８，１４６
【発明の開示】
【発明が解決しようとする課題】
【０００３】  以上述べた従来の器具では、帽子のつばを希望の湾曲角度まで手によって湾曲させたのちに、固定装置に固定し仕立てたものであったため、つばの曲がりを大きく、曲げようとする時には、左右均等に湾曲させることが難しい上、手の力が強すぎたときには、つばの中心部分付近が折れてしまったりして湾曲させることも出来なかった。また、湾曲角度を自由に変更することも不可能であった。そのうえ、プラスチック製の芯棒が入っているつばや、プラスチック製のつばの場合、湾曲させてもすぐにもどり、癖がつかなかった。【０００４】  本発明は、このような従来有していた問題を解決しようとするものであり、使用者の好みに合った湾曲したつば付帽子にするための細工器具を、提供することを目的とするものである。
【課題を解決するための手段】
【０００５】  以上の問題を解決するために、第一発明は、つばの両端を内側つば端固定溝１７と内側つば端固定溝１５で固定し、つば付帽子つば５０の上部をゴムバンド４８で押さえ、つば付帽子つば５０の両端と上部を固定したまま、移動部ガイドレール２６の上を、本体移動部３６が移動し、本体固定部５と本体移動部３６の距離を変えることが出来るスライド移動式とした。そのことにより、両端の距離を狭くすると、つばは大きく曲げられ、両端の距離を広くすると曲がりが小さくされる。そのとき、つば上部はゴムバンド４８で支えられているため、曲げる力をつば全体に分散できるため、左右均等に湾曲させることも出来るし、つばの中心部が折れ曲がってしまうことも無くなる。さらに、固定端ひきあげ棒２３を、移動部ガイドレール２６についている固定穴ａ２７から固定穴ｉ３５までの穴に差込むことで固定できるようにした。また材質はスチームを直接当てても影響のない耐熱材とする。【０００６】  また、第二発明は、平坦なつばをもつ帽子のつばを曲げるためのものである。平坦なつばをもつ帽子のつばを、ゴムバンド取付突起３とゴムバンド固定突起４の間に載せ、ゴムバンド４８で固定したあと、本体移動部３６を固定穴ａ２７から、固定穴ｉ３５に向けて移動させて本体固定部５との間隔を狭くする。この場合、平坦なものを両端から力を加えると上部または下部のどちらかに曲がってしまうため、上部に限って湾曲させるために、次の工夫をした。ひとつは、平坦つば抑え突起２１と、ゴムバンド取付突起３で平坦なつばが跳ね上がってしまうのを防ぐ。もうひとつは、平坦つば支持部１３とつば固定部内抑え１２、平坦つば支持部１０とつば固定部内抑え４３のように、高さについて内側の平坦つば支持部１３とつば固定部内抑え４３よりも、外側のつば固定部内抑え１２と平坦つば支持部１０の上部先端を低くする。さらなる工夫として、平坦つば支持部１３の平坦つば支持部先端１４と、平坦つば支持部１０の平坦つば支持部先端９の部分をつくることにより、つばを下部に逃さないよう支持する。
【発明の効果】
【０００７】  第一発明から第二発明によれば、つば付帽子のつばの両端を固定し、つば上部の中央付近全体にゴムバンドを張った後に、つば固定部を移動することで、ゴムバンド４８がつばの上部全体を支え、つば全体に力を分散することにより、得られる効果は、まず、手で折り曲げる必要が無くなること。つぎに、つば全体にわたって左右均等に曲げをつくることが可能となるとこと。またつぎには、曲げをつくるときに力がつばの一点に集中しないため折れ曲がりが防止されること。またつぎには、つばの両端を固定させる部分を移動式にして自由に移動させることができるため、大きな湾曲も小さな湾曲も、任意の曲げ角度を得ることができること。またつぎには、両端を固定している部分を狭めたり広げたりすることで、すでに曲げ角度をもったつば付帽子でも、違った任意の曲げ角度をつくること。またつぎには、平坦なつばを持ったつば付帽子でも凸に曲げることが出来る。またつぎには、使用者の好みに合った湾曲した状態をそのまま長時間維持することや、つばにスチームをかけることにより、曲がりぐせをつけ、安全かつ簡単に、つばに細工することができる。
【発明を実施するための最良の形態】
【０００８】  この発明の一実施形態を、図１から図１０に基づいて説明する。【０００９】  本体固定部５は、ゴムバンド取付突起３、つば固定部内抑え４３、平坦つば支持部１０、移動部ガイドレール２６を有する。本体移動部３６は、ゴムバンド固定突起４、つば固定部内抑え１２、平坦つば支持部１３、固定端ひきあげ棒２３を有する。【００１０】  移動部ガイドレール２６上の片端に固定された本体固定部５が、もう片端には移動が可能な本体移動部３６が装着されている。移動部ガイドレール２６上には、固定穴ａ２７から固定穴ｉ３５が、本体固定部に向かって並んで在る。移動部ガイドレール２６上の固定穴ａ２７から固定穴ｉ３５に、固定端ひきあげ棒２３を入れることにより、本体移動部は左右任意に固定することができる。【００１１】  本体固定部５の有する平坦つば支持部１０は、本体移動部３６の有する平坦つば支持部１３と高さについて同じであり、かつ、平行関係にある。【００１２】  ゴムバンド４８は、ゴムバンド取付突起３とゴムバンド固定突起４によって固定される。【００１３】「実例」
以上、上記構成の器具の動作を説明する。
本体固定部５と本体移動部３６とゴムバンド４８でつば付帽子５０を取り付け、本体固定部５と本体移動部３６の間隔を変えることにより、つば付帽子つば５０を湾曲させ、使用者の好みに合った湾曲したつばの状態で移動部を固定し、その状態のまま長時間維持することや、つばにスチームをかけることで、つばに曲げくせをつけるものである。【００１４】「実施形態の効果」
この実施形態によれば、平坦なつばをもつ、つば付帽子を、利用者は任意の湾曲をもったつば付帽子にすることができる。また、湾曲したつば付帽子を、利用者の任意の湾曲に正確に曲げ直すことができる。また、曲げることが困難であったプラスチックの芯棒入りのツバも、プラスチック製のつばも、この器具で湾曲させた状態で、スチームをかけることにより、曲げくせをつけることができる。さらにまた、利用者は、つばを折ってしまう危険なく、任意の湾曲をもったつば付帽子を作ることが出来る。
【図面の簡単な説明】
【００１５】
【図１】  この発明の一実施形態を示す斜視図である
【図２】  この発明の器具の斜視図である
【図３】  この発明の器具の平面図である
【図４】  この発明の器具の横断面図である
【図５】  この発明の器具の断面図である
【図６】  この発明の一実施形態図１である
【図７】  この発明の一実施形態図２である
【図８】  この発明の一実施形態図３である
【図９】  この発明の一実施形態図４である
【図１０】  この発明の一実施形態図５である
【符号の説明】
【００１６】１        ゴムバンドひっかけ部
２        ゴムバンド固定部穴
３        ゴムバンド取付突起
４        ゴムバンド固定突起
５        本体固定部
６        ゴムバンドひっかけ部上部
７        つば固定部小頭部
８        つば固定部抑え突起
９        平坦つば支持部先端
１０      平坦つば支持部
１１      ゴムバンドひっかけ突起
１２      つば固定部内抑え
１３      平坦つば支持部
１４      平坦つば支持部先端
１５      内側つば端固定溝
１６      外側つば端固定溝
１７      内側つば端固定溝
１８      外側つば端固定溝
１９      つば固定部内抑え突起
２０      つば固定部小突起
２１      平坦つば抑え突起
２２      ゴムバンド支持杭
２３      固定棒
２４      固定端ガイド
２５      固定端バネ
２６      移動部ガイドレール
２７      固定穴ａ
２８      固定穴ｂ
２９      固定穴ｃ
３０      固定穴ｄ
３１      固定穴ｅ
３２      固定穴ｆ
３３      固定穴ｇ
３４      固定穴ｈ
３５      固定穴ｉ
３６      本体移動部
３７      固定端固定部
３８      移動部ガイド溝
３９      つば支持部外内側
４０      つば支持部内内側
４１      つば支持部内内側
４２      つば支持部外内側
４３      つば固定部内抑え
４４      本体底
４５      本体移動部底
４６      本体レール部
４７      外れ止め突起
４８      ゴムバンド
４９      ゴムバンド引張べろ
５０      つば付帽子つば
５１      つば付帽子
５２      平坦つばおさえ突起
５３      移動方向内側
５４      移動方向外側
【図１】
2006132068.tif 000003
【図２】
2006132068.tif 000004
【図３】
2006132068.tif 000005
【図４】
2006132068.tif 000006
【図５】
2006132068.tif 000007
【図６】
2006132068.tif 000008
【図７】
2006132068.tif 000009
【図８】
2006132068.tif 000010
【図９】
2006132068.tif 000011
【図１０】
2006132068.tif 000012